(57)【特許請求の範囲】
【請求項１】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記記憶媒体内に前記第１の画像ファイルが記録されているフォルダとの関連性及び第１の画像ファイルとの関連性を示すフォルダ名を付加した、前記第１の画像ファイルが記録されているフォルダとは別の記録用フォルダを作成し、当該記録用フォルダ内に前記第２の画像ファイルを記録することを特徴とするカメラ。
【請求項２】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記第２の画像ファイルに、前記第１の画像ファイルのファイル名と異なり、前記第１の画像ファイルが記録されているフォルダとの関連性及び当該第１の画像ファイルのファイル名との関連性を示すファイル名を付加して前記記憶媒体に記録することを特徴とするカメラ。
【請求項３】
請求項１または請求項２に記載のカメラにおいて、
前記画像ファイル記録手段は、前記第２の画像ファイルのファイル名には、前記第１の画像ファイル内における、前記第２の画像ファイルの生成元となった前記個別の画像データの記録位置を示す情報を含めることを特徴とするカメラ。
【請求項４】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記記憶媒体内に第１の画像ファイルとの関連性を示すフォルダ名を付加した、前記第１の画像ファイルが記録されているフォルダとは別の記録用フォルダを作成し、当該記録用フォルダ内に前記第２の画像ファイルを記録し、
使用者から画像の再生が指示された場合に、前記第１の画像ファイル内の前記個別の画像データを再生するときには、当該個別の画像データに基づいて生成された前記第２の画像ファイルを再生対象から除外する画像再生手段をさらに備えることを特徴とするカメラ。
【請求項５】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記第２の画像ファイルに、前記第１の画像ファイルのファイル名と異なり、当該第１の画像ファイルのファイル名との関連性を示すファイル名を付加して前記記憶媒体に記録し、
使用者から画像の再生が指示された場合に、前記第１の画像ファイル内の前記個別の画像データを再生するときには、当該個別の画像データに基づいて生成された前記第２の画像ファイルを再生対象から除外する画像再生手段をさらに備えることを特徴とするカメラ。
【請求項６】
請求項１〜５のいずれか一項に記載のカメラにおいて、
使用者から前記第１の画像ファイルの削除が指示された場合には、前記第１の画像ファイルを前記記憶媒体から削除すると共に、前記第１の画像ファイルに関連する前記第２の画像ファイルを前記記憶媒体から削除する画像削除手段をさらに備えることを特徴とするカメラ。
【請求項７】
請求項１〜５のいずれか一項に記載のカメラにおいて、
使用者から前記第２の画像ファイルの削除が指示された場合には、前記第２の画像ファイルを前記記憶媒体から削除すると共に、前記第２の画像ファイルに関連する前記第１の画像ファイルを前記記憶媒体から削除する画像削除手段をさらに備えることを特徴とするカメラ。
【請求項８】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記記憶媒体内に第１の画像ファイルとの関連性を示すフォルダ名を付加した、前記第１の画像ファイルが記録されているフォルダとは別の記録用フォルダを作成し、当該記録用フォルダ内に前記第２の画像ファイルを記録し、
使用者から前記第１の画像ファイル内の前記個別の画像データの削除が指示された場合には、前記第１の画像ファイル内から前記個別の画像データを削除すると共に、前記個別の画像データに基づいて生成された前記第２の画像ファイルを前記記憶媒体から削除する画像削除手段をさらに備えることを特徴とするカメラ。
【請求項９】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記第２の画像ファイルに、前記第１の画像ファイルのファイル名と異なり、当該第１の画像ファイルのファイル名との関連性を示すファイル名を付加して前記記憶媒体に記録し、
使用者から前記第１の画像ファイル内の前記個別の画像データの削除が指示された場合には、前記第１の画像ファイル内から前記個別の画像データを削除すると共に、前記個別の画像データに基づいて生成された前記第２の画像ファイルを前記記憶媒体から削除する画像削除手段をさらに備えることを特徴とするカメラ。
【請求項１０】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記記憶媒体内に第１の画像ファイルとの関連性を示すフォルダ名を付加した、前記第１の画像ファイルが記録されているフォルダとは別の記録用フォルダを作成し、当該記録用フォルダ内に前記第２の画像ファイルを記録し、
使用者から前記第２の画像ファイルの削除が指示された場合には、前記第２の画像ファイルを前記記憶媒体から削除すると共に、前記第２の画像ファイルに関連する前記第１の画像ファイル内から前記第２の画像ファイルの生成元となった前記個別の画像データを削除する画像削除手段をさらに備えることを特徴とするカメラ。
【請求項１１】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記第２の画像ファイルに、前記第１の画像ファイルのファイル名と異なり、当該第１の画像ファイルのファイル名との関連性を示すファイル名を付加して前記記憶媒体に記録し、
使用者から前記第２の画像ファイルの削除が指示された場合には、前記第２の画像ファイルを前記記憶媒体から削除すると共に、前記第２の画像ファイルに関連する前記第１の画像ファイル内から前記第２の画像ファイルの生成元となった前記個別の画像データを削除する画像削除手段をさらに備えることを特徴とするカメラ。
【請求項１２】
請求項１〜１１のいずれか一項に記載のカメラにおいて、
前記画像ファイル生成手段は、前記第１の画像ファイル内の使用者によって選択された前記個別の画像データを格納した前記第２の画像ファイルを生成することを特徴とするカメラ。
【請求項１３】
請求項１〜１１のいずれか一項に記載のカメラにおいて、
前記画像ファイル生成手段は、使用者によって前記個別の画像データが編集されたときに、前記第１の画像ファイル内の編集された前記個別の画像データを格納した前記第２の画像ファイルを生成することを特徴とするカメラ。
【請求項１４】
記憶媒体の第１のフォルダに記録された、複数の画像データを含む第１の画像ファイル内の当該複数の画像データから、少なくとも一つの個別の画像データを選択する選択手段と、
前記選択手段で選択した個別の画像データに対応する第２の画像ファイルを生成する画像ファイル生成手段と、
前記画像ファイル生成手段によって生成された前記第２の画像ファイルを前記記憶媒体に記録する画像ファイル記録手段とを備え、
前記画像ファイル記録手段は、前記記憶媒体内に前記第１の画像ファイルが記録されているフォルダとの関連性及び第１の画像ファイルとの関連性を示すフォルダ名を付加した、前記第１の画像ファイルが記録されているフォルダとは別の記録用フォルダを作成し、当該記録用フォルダ内に前記第２の画像ファイルを記録することを特徴とする電子機器。
【発明の詳細な説明】
【技術分野】
【０００１】
本発明は、カメラ、および電子機器に関する。
【背景技術】
【０００２】
次のような画像データ記録装置が知られている。この画像データ記録装置は、１回の撮影で得た複数の画像データを１つの画像ファイルにまとめて記録する（例えば、特許文献１）。
【先行技術文献】
【特許文献】
【０００３】
【特許文献１】特開平１１−２６６４２０号公報
【発明の概要】
【発明が解決しようとする課題】
【０００４】
しかしながら、従来の画像データ記録装置では、複数の画像データが記録されている１つの画像ファイル内の画像データを含んだ新たな画像ファイルを生成する場合に、元の画像ファイルと新たな画像ファイルとの関連性を保つための工夫はなされていなかった。
【課題を解決するための手段】
【０００５】
請求項１に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、記憶媒体内に第１の画像ファイルが記録されているフォルダとの関連性及び第１の画像ファイルとの関連性を示すフォルダ名を付加した、第１の画像ファイルが記録されているフォルダとは別の記録用フォルダを作成し、当該記録用フォルダ内に第２の画像ファイルを記録することを特徴とする。
請求項２に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、第２の画像ファイルに、第１の画像ファイルのファイル名と異なり、第１の画像ファイルが記録されているフォルダとの関連性及び当該第１の画像ファイルのファイル名との関連性を示すファイル名を付加して記憶媒体に記録することを特徴とする。
請求項４に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、記憶媒体内に第１の画像ファイルとの関連性を示すフォルダ名を付加した、第１の画像ファイルが記録されているフォルダとは別の記録用フォルダを作成し、当該記録用フォルダ内に第２の画像ファイルを記録し、使用者から画像の再生が指示された場合に、第１の画像ファイル内の個別の画像データを再生するときには、当該個別の画像データに基づいて生成された第２の画像ファイルを再生対象から除外する画像再生手段をさらに備えることを特徴とする。
請求項５に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、第２の画像ファイルに、第１の画像ファイルのファイル名と異なり、当該第１の画像ファイルのファイル名との関連性を示すファイル名を付加して記憶媒体に記録し、使用者から画像の再生が指示された場合に、第１の画像ファイル内の個別の画像データを再生するときには、当該個別の画像データに基づいて生成された第２の画像ファイルを再生対象から除外する画像再生手段をさらに備えることを特徴とする。
請求項８に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、記憶媒体内に第１の画像ファイルとの関連性を示すフォルダ名を付加した、第１の画像ファイルが記録されているフォルダとは別の記録用フォルダを作成し、当該記録用フォルダ内に第２の画像ファイルを記録し、使用者から第１の画像ファイル内の個別の画像データの削除が指示された場合には、第１の画像ファイル内から個別の画像データを削除すると共に、個別の画像データに基づいて生成された第２の画像ファイルを記憶媒体から削除する画像削除手段をさらに備えることを特徴とする。
請求項９に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、第２の画像ファイルに、第１の画像ファイルのファイル名と異なり、当該第１の画像ファイルのファイル名との関連性を示すファイル名を付加して記憶媒体に記録し、使用者から第１の画像ファイル内の個別の画像データの削除が指示された場合には、第１の画像ファイル内から個別の画像データを削除すると共に、個別の画像データに基づいて生成された第２の画像ファイルを記憶媒体から削除する画像削除手段をさらに備えることを特徴とする。
請求項１０に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、記憶媒体内に第１の画像ファイルとの関連性を示すフォルダ名を付加した、第１の画像ファイルが記録されているフォルダとは別の記録用フォルダを作成し、当該記録用フォルダ内に第２の画像ファイルを記録し、使用者から第２の画像ファイルの削除が指示された場合には、第２の画像ファイルを記憶媒体から削除すると共に、第２の画像ファイルに関連する第１の画像ファイル内から第２の画像ファイルの生成元となった個別の画像データを削除する画像削除手段をさらに備えることを特徴とする。
請求項１１に記載のカメラは、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、第２の画像ファイルに、第１の画像ファイルのファイル名と異なり、当該第１の画像ファイルのファイル名との関連性を示すファイル名を付加して記憶媒体に記録し、使用者から第２の画像ファイルの削除が指示された場合には、第２の画像ファイルを記憶媒体から削除すると共に、第２の画像ファイルに関連する第１の画像ファイル内から第２の画像ファイルの生成元となった個別の画像データを削除する画像削除手段をさらに備えることを特徴とする。
請求項１４に記載の電子機器は、記憶媒体の第１のフォルダに記録された、複数の画像データを含む第１の画像ファイル内の当該複数の画像データから、少なくとも一つの個別の画像データを選択する選択手段と、選択手段で選択した個別の画像データに対応する第２の画像ファイルを生成する画像ファイル生成手段と、画像ファイル生成手段によって生成された第２の画像ファイルを記憶媒体に記録する画像ファイル記録手段とを備え、画像ファイル記録手段は、記憶媒体内に第１の画像ファイルが記録されているフォルダとの関連性及び第１の画像ファイルとの関連性を示すフォルダ名を付加した、第１の画像ファイルが記録されているフォルダとは別の記録用フォルダを作成し、当該記録用フォルダ内に第２の画像ファイルを記録することを特徴とする。
【発明の効果】
【０００６】
本発明によれば、元の画像ファイルと新たな画像ファイルとの関連性を維持することができる。
【図面の簡単な説明】
【０００７】
【図１】カメラ１００の一実施の形態の構成を示すブロック図である。
【図２】ＤＣＦ規格に準拠した方式で画像ファイルを記録した場合のメモリカード内のディレクトリ構造を模式的に示す図である。
【図３】元ＭＰＯファイルと新ＪＰＧファイルの関連付け例を模式的に示す図である。
【発明を実施するための形態】
【０００８】
図１は、本実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００９】
レンズ１０２は、複数の光学レンズから構成されるが、図１では代表して１枚のレンズで表している。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【００１０】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１１】
この制御装置１０４は、撮像素子１０３から入力された画像信号に基づいて所定の画像形式、例えばＪＰＥＧ形式の画像データを生成し、この画像データに、画像データに基づいて生成したサムネイルデータや撮影情報等を含んだヘッダ情報を付加して画像ファイルを生成する。なお、本実施の形態では、制御装置１０４は、連写撮影やパノラマ撮影等、１回の撮影で複数枚の画像が撮影される場合には、これら１回の撮影で生成した複数の画像データを１つの画像ファイル内に格納する機能を備えている。
【００１２】
制御装置１０４は、１つの画像ファイル内に１つの本画像データを含む画像ファイルに対しては、ファイル名の拡張子に「．ＪＰＧ」を付してＪＰＧファイルとして扱う。一方、１つの画像ファイル内に複数の本画像データを含む画像ファイルに対しては、ファイル名の拡張子に「．ＭＰＯ」を付してＭＰＯファイルとして扱う。制御装置１０４は、生成したＪＰＧファイルやＭＰＯファイルをメモリカードスロット１０５へ出力する。
【００１３】
メモリカードスロット１０５は、記憶媒体としてのメモリカードを挿入するためのスロットであり、制御装置１０４から出力された画像ファイル（ＪＰＧファイルやＭＰＯファイル）をメモリカードに書き込んで記録する。また、メモリカードスロット１０５は、制御装置１０４からの指示に基づいて、メモリカード内に記憶されている画像ファイルを読み込む。
【００１４】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、使用者によってカメラ１００のモードが撮影モードに設定されると、撮像素子１０３から時系列で取得した画像信号に基づいて生成した表示用画像データをモニタ１０６に出力する。これによってモニタ１０６にはスルー画が表示される。
【００１５】
本実施の形態におけるカメラ１００では、制御装置１０４は、撮影によって得たＪＰＧファイル及びＭＰＯファイルを、ＤＣＦ規格に準拠した方式でメモリカードに記録する。具体的には、ＤＣＦ規格では、以下の（Ａ）〜（Ｆ）のように記録方式を定めている。
【００１６】
（Ａ）ディレクトリ名（フォルダ名）は８文字
（Ｂ）ディレクトリ名の先頭から１〜３文字目は「０００」〜「９９９」の番号
（Ｃ）ディレクトリ名の上記３桁の番号に続く文字数は、半角英数大文字で５文字
（Ｄ）ファイル名は８文字（拡張子は除く）
（Ｅ）ファイル名の先頭から１〜４文字目は半角英数大文字を使用した任意の文字列
（Ｆ）ファイル名の上記４文字に続く文字は「００００」〜「９９９９」の番号
【００１７】
図２は、ＤＣＦ規格に準拠した方式で画像ファイルを記録した場合のメモリカード内のディレクトリ構造（フォルダ構造）を模式的に示した図である。図２に示す例では、「ＲＯＯＴ」ディレクトリ２ａ内にＤＣＦイメージルートディレクトリである「ＤＣＩＭ」ディレクトリ２ｂが作成されている。そして「ＤＣＩＭ」ディレクトリ２ｂには、上記（Ａ）〜（Ｃ）の規則に従って命名されたＤＣＦディレクトリとして、「１００ＮＩＫＯＮ」ディレクトリ２ｃと「１０１ＸＸＸＸＸ」ディレクトリ２ｄとが作成されている。また、「１００ＮＩＫＯＮ」ディレクトリ２ｃ内には上記（Ｄ）〜（Ｆ）の規則に従って命名された画像ファイルが記録されている。
【００１８】
具体的には、「１００ＮＩＫＯＮ」ディレクトリ２ｃ内には、ＪＰＧファイルである「ＩＭＧ＿０００１．ＪＰＧ」と「ＩＭＧ＿０００２．ＪＰＧ」とが記録され、ＭＰＯファイルである「ＩＭＧ＿０００２．ＭＰＯ」と「ＡＢＣ＿０００２．ＭＰＯ」と「ＩＭＧ＿０００３．ＭＰＯ」とが記録されている。さらに図２に示す例では、動画ファイルとして「ＩＭＧ＿０００２．ＷＡＶ」が記録されている。
【００１９】
本実施の形態では、使用者は、メモリカードに記録されているＭＰＯファイルの中から任意のファイルを選択して、そのＭＰＯファイル内に格納されている複数の画像データの中から任意の画像データを選択することができる。制御装置１０４は、使用者によって選択された個別の画像データを格納したＪＰＧファイルを生成することができる。
【００２０】
なお、使用者は、１つのＭＰＯファイル内から少なくとも１つの画像データを選択するものとし、使用者によって１つの画像データが選択された場合には、制御装置１０４は、その選択された１つの画像データを含んだ１つのＪＰＧファイルを生成する。一方、使用者によって複数の画像データが選択された場合には、制御装置１０４は、選択された各データをそれぞれ１つずつ含んだ複数のＪＰＧファイルを生成する。
【００２１】
制御装置１０４は、このようにＭＰＯファイル中の画像データを含む新たなＪＰＧファイルを生成した場合には、記録先のディレクトリや付加するファイル名によって、新たに生成したＪＰＧファイル（以下、「新ＪＰＧファイル」と呼ぶ）と、画像データを含むＭＰＯファイル（以下、「元ＭＰＯファイル」と呼ぶ）との関連性を示すようにする。これによって、新ＪＰＧファイルが、どのＭＰＯファイルに基づいて生成されたものであるかを識別可能にすることができる。
【００２２】
このとき、新ＪＰＧファイルを上述したＤＣＦ規格に準拠した方式でメモリカードに記録しようとすると、記録先のディレクトリや付加するファイル名によって両画像ファイルの関連性を示すのが困難となる。例えば、同一ディレクトリ内ではファイル名は一意である必要があることから、既に元ＭＰＯファイルと拡張以外の部分が同じファイル名のＪＰＧファイルが同一ディレクトリ内に記録されている場合には、新ＪＰＧファイルのファイル名と、元ＭＰＯファイルのファイル名とを拡張子以外の部分を共通にして両画像ファイルの関連性を示すことはできない。また、同様の理由から元ＭＰＯファイルのファイル名の番号部分と新ＪＰＧファイルのファイル名の番号部分を同一にしたり、連番にしたりすることにより両画像ファイルの関連性を示すこともできない。
【００２３】
よって、本実施の形態では、新ＪＰＧファイルと元ＭＰＯファイルとの関連性を維持するために、新ＪＰＧファイルをＤＣＦ規格に準拠しない方式でメモリカードに記録するようにする。具体的には、制御装置１０４は、以下に示す第１の方法〜第７の方法のいずれかの方法により、図３に示すように、新ＪＰＧファイルをＤＣＦ規格に準拠しない方式でメモリカードに記録する。なお、図３において、ディレクトリ２ａ〜２ｄは、図２に示したディレクトリ２ａ〜２ｄと同様のため、説明を省略する。また、以下では、元ＭＰＯファイルを「ＩＭＧ＿０００３．ＭＰＯ」とし、この元ＭＰＯファイル内の１番目に格納されている画像データと１４番目に格納されている画像データとの２つの画像データとに基づいて２つの新ＪＰＧファイルを生成する場合について説明する。
【００２４】
（第１の方法）
第１の方法では、制御装置１０４は、元ＭＰＯファイルである「ＩＭＧ＿０００３．ＭＰＯ」が記録されているディレクトリである「１００ＮＩＫＯＮ」ディレクトリ２ｃ内に、元ＭＰＯファイルのファイル名「ＩＭＧ＿０００３．ＭＰＯ」の拡張子以外の部分、すなわち「ＩＭＧ＿０００３」をディレクトリ名とする「ＩＭＧ＿０００３」ディレクトリ３ａを生成する。このディレクトリ名は、上記（Ｂ）および（Ｃ）を満たさないので、「ＩＭＧ＿０００３」ディレクトリ３ａはＤＣＦ規格に準拠していない。
【００２５】
具体的には、制御装置１０４は、「ＩＭＧ＿０００３．ＭＰＯ」内の１番目の画像データを格納した新ＪＰＧファイルに対して、「ＩＭＧ＿０００３．ＭＰＯ」内における画像データの記録位置を４桁の番号で表したファイル名、すなわち「０００１．ＪＰＧ」を付加して「ＩＭＧ＿０００３」ディレクトリ３ａ内に記録する。また、制御装置１０４は、「ＩＭＧ＿０００３．ＭＰＯ」内の１４番目の画像データを格納した新ＪＰＧファイルに対して、「ＩＭＧ＿０００３．ＭＰＯ」内における画像データの記録位置を４桁の番号で表したファイル名、すなわち「００１４．ＪＰＧ」を付加して「ＩＭＧ＿０００３」ディレクトリ３ａ内に記録する。
【００２６】
これによって、第１の方法では、「１００ＮＩＫＯＮ」ディレクトリ２ｃの直下に作成された「ＩＭＧ＿０００３」ディレクトリ３ａ内に、新ＪＰＧファイル「０００１．ＪＰＧ」３ｂと新ＪＰＧファイル「００１４．ＪＰＧ」３ｃとが記録されることになる。なお、これらの新ＪＰＧファイルのファイル名は、上記（Ｄ）および（Ｆ）を満たさないのでＤＣＦ規格に準拠していない。
【００２７】
この第１の方法によれば、新ＪＰＧファイルの記録先ディレクトリに元ＭＰＯファイルとの関連性を示すフォルダ名を付加することによって、新ＪＰＧファイルと元ＭＰＯファイルとを関連付けることができ、さらに新ＪＰＧファイルのファイル名に元ＭＰＯファイル内における画像データの記録位置を示す情報を付加することによって、新ＪＰＧファイルと元ＭＰＯファイル内における画像データの記録位置とを関連付けることができる。このように、第１の方法によれば、ＤＣＦ規格に準拠しないディレクトリ名とファイル名とを組み合わせて、新ＪＰＧファイルと元ＭＰＯファイルの関連性を維持することができる。
【００２８】
（第２の方法）
第２の方法では、制御装置１０４は、元ＭＰＯファイルである「ＩＭＧ＿０００３．ＭＰＯ」が記録されているディレクトリである「１００ＮＩＫＯＮ」ディレクトリ２ｃ内に、新ＪＰＧファイルを記録する。このとき、制御装置１０４は、新ＪＰＧファイルに、元ＭＰＯファイルのファイル名の番号部分と、ＭＰＯファイル内における画像データの記録位置を示す３桁の番号とを「＿」で連結したファイル名を付加する。
【００２９】
具体的には、制御装置１０４は、「ＩＭＧ＿０００３．ＭＰＯ」内の１番目の画像データを格納した新ＪＰＧファイルに対しては、「０００３＿００１．ＪＰＧ」というファイル名を付加する。また、制御装置１０４は、「ＩＭＧ＿０００３．ＭＰＯ」内の１４番目の画像データを格納した新ＪＰＧファイルに対しては、「０００３＿０１４．ＪＰＧ」というファイル名を付加する。
【００３０】
これによって、第２の方法では、「１００ＮＩＫＯＮ」ディレクトリ２ｃの直下に新ＪＰＧファイル「０００３＿００１．ＪＰＧ」３ｄと、新ＪＰＧファイル「０００３＿０１４．ＪＰＧ」３ｅとが記録されることになる。なお、これらの新ＪＰＧファイルのファイル名は、上記（Ｆ）を満たさないのでＤＣＦ規格に準拠していない。
【００３１】
この第２の方法によれば、新ＪＰＧファイルのファイル名に元ＭＰＯファイルとの関連性、および元ＭＰＯファイル内における画像データの記録位置を示すファイル名を付加することによって、新ＪＰＧファイルと元ＭＰＯファイルとを関連付けることができ、さらに新ＪＰＧファイルと元ＭＰＯファイル内における画像データの記録位置とを関連付けることができる。このように、第２の方法によれば、ＤＣＦ規格に準拠しないファイル名を用いて、新ＪＰＧファイルと元ＭＰＯファイルの関連性を維持することができる。
【００３２】
（第３の方法）
第３の方法では、制御装置１０４は、元ＭＰＯファイルである「ＩＭＧ＿０００３．ＭＰＯ」が記録されているディレクトリである「１００ＮＩＫＯＮ」ディレクトリ２ｃ内に、新ＪＰＧファイルを記録する。このとき、制御装置１０４は、新ＪＰＧファイルに、元ＭＰＯファイルのファイル名の拡張子以外の部分と、ＭＰＯファイル内における画像データの記録位置を示す４桁の番号とを「＿」で連結したファイル名を付加する。
【００３３】
具体的には、制御装置１０４は、「ＩＭＧ＿０００３．ＭＰＯ」内の１番目の画像データを格納した新ＪＰＧファイルに対しては、「ＩＭＧ＿０００３＿０００１．ＪＰＧ」というファイル名を付加する。また、制御装置１０４は、「ＩＭＧ＿０００３．ＭＰＯ」内の１４番目の画像データを格納した新ＪＰＧファイルに対しては、「ＩＭＧ＿０００３＿００１４．ＪＰＧ」というファイル名を付加する。
【００３４】
これによって、第３の方法では、「１００ＮＩＫＯＮ」ディレクトリ２ｃの直下に新ＪＰＧファイル「ＩＭＧ＿０００３＿０００１．ＪＰＧ」３ｆと、新ＪＰＧファイル「ＩＭＧ＿０００３＿００１４．ＪＰＧ」３ｇとが記録されることになる。なお、これらの新ＪＰＧファイルのファイル名は、上記（Ｄ）を満たさないのでＤＣＦ規格に準拠していない。
【００３５】
この第３の方法によれば、新ＪＰＧファイルのファイル名に元ＭＰＯファイルとの関連性、および元ＭＰＯファイル内における画像データの記録位置を示したファイル名を付加することによって、新ＪＰＧファイルと元ＭＰＯファイルとを関連付けることができ、さらに新ＪＰＧファイルと元ＭＰＯファイル内における画像データの記録位置とを関連付けることができる。このように、第３の方法によれば、ＤＣＦ規格に準拠しないファイル名を用いて、新ＪＰＧファイルと元ＭＰＯファイルの関連性を維持することができる。
【００３６】
（第４の方法）
第４の方法では、制御装置１０４は、ＤＣＦイメージルートディレクトリである「ＤＣＩＭ」ディレクトリ２ｂ内に、ＤＣＦ規格に準拠しないディレクトリ、例えば「ＴＥＭＰ１」ディレクトリ３ｈを作成する。そして、制御装置１０４は、「ＴＥＭＰ１」ディレクトリ３ｈ内に、元ＭＰＯファイルが記録されているＤＣＦディレクトリである「１００ＮＩＫＯＮ」のディレクトリ名の番号部分をディレクトリ名とした「１００」ディレクトリ３ｉを作成する。さらに、制御装置１０４は、「１００」ディレクトリ３ｉ内に、元ＭＰＯファイルのファイル名「ＩＭＧ＿０００３．ＭＰＯ」の番号部分をディレクトリ名とした「０００３」ディレクトリ３ｊを生成する。なお、「１００」ディレクトリ３ｉ、および「０００３」ディレクトリ３ｊのそれぞれのディレクトリ名は、上記（Ａ）および（Ｃ）を満たさないのでＤＣＦ規格に準拠していない。
【００３７】
そして、制御装置１０４は、「ＩＭＧ＿０００３．ＭＰＯ」内の１番目の画像データを格納した新ＪＰＧファイルに対して、「ＩＭＧ＿０００３．ＭＰＯ」内における画像データの記録位置を４桁の番号で表したファイル名、すなわち「０００１．ＪＰＧ」を付加して「０００３」ディレクトリ３ｊ内に記録する。また、制御装置１０４は、「ＩＭＧ＿０００３．ＭＰＯ」内の１４番目の画像データを格納した新ＪＰＧファイルに対して、「ＩＭＧ＿０００３．ＭＰＯ」内における画像データの記録位置を４桁の番号で表したファイル名、すなわち「００１４．ＪＰＧ」を付加して「０００３」ディレクトリ３ｊ内に記録する。
【００３８】
これによって、第４の方法では、ＤＣＩＭディレクトリ２ｂ内に新たに「ＴＥＭＰ１」ディレクトリ３ｈ―「１００」ディレクトリ３ｉ―「０００３」ディレクトリ３ｊという階層構造のディレクトリを作成し、最下層の「０００３」ディレクトリ３ｊ内に新ＪＰＧファイル「０００１．ＪＰＧ」３ｋと、新ＪＰＧファイル「００１４．ＪＰＧ」３ｌとが記録されることになる。なお、これらの新ＪＰＧファイルのファイル名は、上記（Ｄ）および（Ｆ）を満たさないのでＤＣＦ規格に準拠していない。
【００３９】
この第４の方法によれば、階層的に作成した複数のディレクトリのそれぞれに元ＭＰＯファイルとの関連性を示すディレクトリ名を付加し、さらに新ＪＰＧファイルのファイル名に元ＭＰＯファイル内における画像データの記録位置を示す情報を付加することにより、新ＪＰＧファイルと元ＭＰＯファイルとを関連付けることができ、新ＪＰＧファイルと元ＭＰＯファイル内における画像データの記録位置とを関連付けることができる。このように、第４の方法によれば、ＤＣＦ規格に準拠しないディレクトリ構造、及びファイル名を用いて、新ＪＰＧファイルと元ＭＰＯファイルの関連性を維持することができる。
【００４０】
（第５の方法）
第５の方法では、制御装置１０４は、第４の方法で作成した「ＴＥＭＰ１」ディレクトリ３ｈ内に、元ＭＰＯファイルが記録されているＤＣＦディレクトリ「１００ＮＩＫＯＮ」２ｃのディレクトリ名の番号部分と元ＭＰＯファイルのファイル名「ＩＭＧ＿０００３．ＭＰＯ」の番号部分の部分とを「＿」で連結したディレクトリ名の「１００＿０００３」ディレクトリ３ｍを作成する。
【００４１】
そして、制御装置１０４は、「ＩＭＧ＿０００３．ＭＰＯ」内の１番目の画像データを格納した新ＪＰＧファイルに対して、「ＩＭＧ＿０００３．ＭＰＯ」内における画像データの記録位置を４桁の番号で表したファイル名、すなわち「０００１．ＪＰＧ」を付加して「１００＿０００３」ディレクトリ３ｍ内に記録する。また、制御装置１０４は、「ＩＭＧ＿０００３．ＭＰＯ」内の１４番目の画像データを格納した新ＪＰＧファイルに対して、「ＩＭＧ＿０００３．ＭＰＯ」内における画像データの記録位置を４桁の番号で表したファイル名、すなわち「００１４．ＪＰＧ」を付加して「１００＿０００３」ディレクトリ３ｍ内に記録する。
【００４２】
これによって、第５の方法では、ＤＣＩＭディレクトリ２ｂ内に新たに「ＴＥＭＰ１」ディレクトリ３ｈ―「１００＿０００３」ディレクトリ３ｍという階層構造のディレクトリを作成し、最下層の「１００＿０００３」ディレクトリ３ｍ内に新ＪＰＧファイル「０００１．ＪＰＧ」３ｎと、新ＪＰＧファイル「００１４．ＪＰＧ」３ｏとが記録されることになる。なお、これらの新ＪＰＧファイルのファイル名は、上記（Ｄ）および（Ｆ）を満たさないのでＤＣＦ規格に準拠していない。
【００４３】
この第５の方法によれば、階層的に作成したディレクトリに元ＭＰＯファイルとの関連性を示すディレクトリ名を付加し、さらに新ＪＰＧファイルのファイル名に元ＭＰＯファイル内における画像データの記録位置を示す情報を付加することにより、新ＪＰＧファイルと元ＭＰＯファイルとを関連付けることができ、新ＪＰＧファイルと元ＭＰＯファイル内における画像データの記録位置とを関連付けることができる。このように、第５の方法によれば、ＤＣＦ規格に準拠しないディレクトリ構造、及びファイル名を用いて、新ＪＰＧファイルと元ＭＰＯファイルの関連性を維持することができる。
【００４４】
（第６の方法）
第６の方法では、制御装置１０４は、第４および第５の方法で作成した「ＴＥＭＰ１」ディレクトリ３ｈ内に、元ＭＰＯファイルが記録されているＤＣＦディレクトリ「１００ＮＩＫＯＮ」２ｃのディレクトリ名の番号部分と、元ＭＰＯファイルのファイル名「ＩＭＧ＿０００３．ＭＰＯ」の番号部分の部分と、元ＭＰＯファイル内における新ＪＰＧファイルに格納した画像データの記録位置を示す４桁の番号とをそれぞれ「＿」で連結したファイル名を付した新ＪＰＧファイルを記録する。
【００４５】
具体的には、制御装置１０４は、「ＩＭＧ＿０００３．ＭＰＯ」内の１番目の画像データを格納した新ＪＰＧファイルに対して、「１００＿０００３＿０００１．ＪＰＧ」を付加して「ＴＥＭＰ１」ディレクトリ３ｈ内に記録する。また、制御装置１０４は、「ＩＭＧ＿０００３．ＭＰＯ」内の１４番目の画像データを格納した新ＪＰＧファイルに対して、「１００＿０００３＿００１４．ＪＰＧ」を付加して「ＴＥＭＰ１」ディレクトリ３ｈ内に記録する。
【００４６】
これによって、第６の方法では、ＤＣＩＭディレクトリ２ｂ内に新たに「ＴＥＭＰ１」ディレクトリ３ｈを作成し、その中に新ＪＰＧファイル「１００＿０００３＿０００１．ＪＰＧ」３ｐと、新ＪＰＧファイル「１００＿０００３＿００１４．ＪＰＧ」３ｑとが記録されることになる。なお、これらの新ＪＰＧファイルのファイル名は、上記（Ａ）を満たさないのでＤＣＦ規格に準拠していない。
【００４７】
この第６の方法によれば、新ＪＰＧファイルのファイル名に元ＭＰＯファイルとの関連性、および元ＭＰＯファイル内における画像データの記録位置を示す情報を付加することにより、新ＪＰＧファイルと元ＭＰＯファイルとを関連付けることができ、さらに新ＪＰＧファイルと元ＭＰＯファイル内における画像データの記録位置とを関連付けることができる。このように、第６の方法によれば、ＤＣＦ規格に準拠しないファイル名を用いて、新ＪＰＧファイルと元ＭＰＯファイルの関連性を維持することができる。
【００４８】
（第７の方法）
第７の方法では、制御装置１０４は、第４〜第６の方法で作成した「ＴＥＭＰ１」ディレクトリ３ｈ内に、元ＭＰＯファイルが記録されているＤＣＦディレクトリ「１００ＮＩＫＯＮ」２ｃのディレクトリ名と、元ＭＰＯファイルのファイル名「ＩＭＧ＿０００３．ＭＰＯ」の拡張子以外の部分と、元ＭＰＯファイル内における新ＪＰＧファイルに格納した画像データの記録位置を示す４桁の番号とをそれぞれ「＿」で連結したファイル名を付した新ＪＰＧファイルを記録する。
【００４９】
具体的には、制御装置１０４は、「ＩＭＧ＿０００３．ＭＰＯ」内の１番目の画像データを格納した新ＪＰＧファイルに対して、「１００ＮＩＫＯＮ＿ＩＭＧ＿０００３＿０００１．ＪＰＧ」を付加して「ＴＥＭＰ１」ディレクトリ３ｈ内に記録する。また、制御装置１０４は、「ＩＭＧ＿０００３．ＭＰＯ」内の１４番目の画像データを格納した新ＪＰＧファイルに対して、「１００ＮＩＫＯＮ＿ＩＭＧ＿０００３＿００１４．ＪＰＧ」を付加して「ＴＥＭＰ１」ディレクトリ３ｈ内に記録する。
【００５０】
これによって、第７の方法では、ＤＣＩＭディレクトリ２ｂ内に新たに「ＴＥＭＰ１」ディレクトリ３ｈを作成し、その中に新ＪＰＧファイル「１００ＮＩＫＯＮ＿ＩＭＧ＿０００３＿０００１．ＪＰＧ」３ｒと、新ＪＰＧファイル「１００ＮＩＫＯＮ＿ＩＭＧ＿０００３＿００１４．ＪＰＧ」３ｓとが記録されることになる。なお、これらの新ＪＰＧファイルのファイル名は、上記（Ａ）および（Ｃ）を満たさないのでＤＣＦ規格に準拠していない。
【００５１】
この第７の方法によれば、新ＪＰＧファイルのファイル名に元ＭＰＯファイルとの関連性、および元ＭＰＯファイル内における画像データの記録位置を示す情報を付加することにより、新ＪＰＧファイルと元ＭＰＯファイルとを関連付けることができ、さらに新ＪＰＧファイルと元ＭＰＯファイル内における画像データの記録位置とを関連付けることができる。このように、第７の方法によれば、ＤＣＦ規格に準拠しないファイル名を用いて、新ＪＰＧファイルと元ＭＰＯファイルの関連性を維持することができる。
【００５２】
なお、以上説明した第１の方法から第７の方法のうちのいずれを使用して元ＭＰＯファイルと新ＪＰＧファイルを関連付けるかは、使用者が任意に選択できるようにしてもよいし、あらかじめ設定されていて変更できないようにしてもよい。
【００５３】
本実施の形態では、上記いずれかの方法で元ＭＰＯファイルと新ＪＰＧファイルとを関連付けて記録した後に、使用者によって元ＭＰＯファイルまたは新ＪＰＧファイルを対象とした操作が行われた場合には、制御装置１０４は、両画像ファイルの関連性に基づいた処理を実行する。具体的には、以下のような処理を行なう。
【００５４】
まず、使用者によってメモリカードに記録されている画像の再生が指示された場合には、制御装置１０４は、関連付けられている元ＭＰＯファイルと新ＪＰＧファイルとが存在する場合には、元ＭＰＯファイル内に格納されている画像データのみを再生し、新ＪＰＧファイルの画像データは再生しないようにする。このとき、制御装置１０４は、上述した第１〜第７の方法による関連付け結果に基づいて、元ＭＰＯファイルと新ＪＰＧファイルとが重複して存在していることを検出することができる。
【００５５】
これによって、同じ画像が重複して再生されることを防ぐことができる。なお、この場合、制御装置１０４は、関連付けられている新ＪＰＧファイルがある画像データの再生中は、再生画像上に関連付けられている新ＪＰＧファイルがあることを示すアイコンを重畳して表示することにより、使用者がその旨を把握できるようにしてもよい。
【００５６】
制御装置１０４は、使用者からメモリカードに記録されているＭＰＯファイルの削除指示があった場合に、その削除対象のＭＰＯファイルが元ＭＰＯファイルである場合、すなわち関連付けられている新ＪＰＧファイルがある場合には、削除対象の元ＭＰＯファイルに関連付けられている全ての新ＪＰＧファイルもメモリカードから削除する。このとき、制御装置１０４は、上述した第１〜第７の方法による関連付け結果に基づいて、削除が指示されたＭＰＯファイルに関連付けられている新ＪＰＧファイルを特定することができるため、その特定結果に基づいて、新ＪＰＧファイルの削除を行なう。
【００５７】
これによって、使用者は、不要と判断した元ＭＰＯファイルの削除を指示するだけで、それに関連する全ての新ＪＰＧファイルも削除することができるため、画像ファイルの管理を容易に行うことができる。なお、この場合、制御装置１０４は、関連付けられている新ＪＰＧファイルを削除する前に、使用者に削除可否の確認を行なうようにしてもよい。
【００５８】
また、制御装置１０４は、使用者からメモリカードに記録されているＭＰＯファイル内に含まれる特定の画像データの削除指示があった場合には、その削除対象の画像データに基づいて作成した新ＪＰＧファイルをメモリカードから削除する。このとき、制御装置１０４は、上述した第１〜第７の方法による関連付け結果に基づいて、メモリカードに記録されている各新ＪＰＧファイルがどのＭＰＯファイルのどの記録位置に記録されている画像データを含んでいるかを特定することができるため、その特定結果に基づいて、関連する新ＪＰＧファイルの削除を行なう。
【００５９】
これによって、使用者は不要と判断した元ＭＰＯファイル内の画像データの削除を指示するだけで、これに基づいて作成した新ＪＰＧファイルも自動的に削除することができるため、画像ファイルの管理を容易に行うことができる。なお、この場合も、制御装置１０４は、関連付けられている新ＪＰＧファイルを削除する前に、使用者に削除可否の確認を行なうようにしてもよい。
【００６０】
制御装置１０４は、使用者からメモリカードに記録されているＪＰＧファイルの削除指示があった場合に、その削除対象のＪＰＧファイルが新ＪＰＧファイルである場合、すなわち関連付けられている元ＭＰＯファイルがある場合には、削除対象の新ＪＰＧファイルに関連付けられている元ＭＰＯファイルもメモリカードから削除する。このとき、制御装置１０４は、上述した第１〜第７の方法による関連付け結果に基づいて、削除が指示されたＪＰＧファイルに関連付けられている元ＭＰＯファイルを特定することができるため、その特定結果に基づいて、元ＭＰＯファイルの削除を行なう。
【００６１】
これによって、使用者は、不要と判断した新ＪＰＧファイルの削除を指示するだけで、関連する元ＭＰＯファイルも削除することができるため、画像ファイルの管理を容易に行うことができる。なお、この場合、制御装置１０４は、関連付けられている元ＭＰＯファイルを削除する前に、使用者に削除可否の確認を行なうようにしてもよい。
【００６２】
また、制御装置１０４は、使用者によってメモリカードから新ＪＰＧファイルの削除が指示された場合には、関連付けられている元ＭＰＯファイル内から、削除対象の新ＪＰＧファイルの生成元となった画像データのみを削除するようにしてもよい。このとき、制御装置１０４は、上述した第１〜第７の方法による関連付け結果に基づいて、メモリカードに記録されている各新ＪＰＧファイルがどのＭＰＯファイルのどの記録位置に記録されている画像データを含んでいるかを特定することができるため、その特定結果に基づいて、関連する元ＭＰＯファイル内から生成元となった画像データのみの削除を行なう。
【００６３】
これによって、使用者は、不要と判断した新ＪＰＧファイルの削除を指示するだけで、それに関連する元ＭＰＯファイル内からファイル生成元となった画像データも削除することができるため、画像の管理を容易に行うことができる。なお、この場合も、制御装置１０４は、関連付けられている元ＭＰＯファイルから画像データを削除する前に、使用者に削除可否の確認を行なうようにしてもよい。
【００６４】
制御装置１０４は、使用者によって元ＭＰＯファイルの外部機器への転送が指示された場合には、転送対象の元ＭＰＯファイルに関連付けられている全ての新ＪＰＧファイルも外部機器へ転送する。これによって、外部機器が元ＭＰＯファイルに対応していない場合であっても、従来のＪＰＥＧファイルである新ＪＰＧファイルを同時に送ることにより、外部機器で画像の閲覧や編集等が可能となる。なお、この場合には、転送対象の元ＭＰＯファイルに関連付けられている全ての新ＪＰＧファイルを外部機器へ転送する前に、その転送の可否を使用者に確認するようにしてもよい。このとき、使用者が各新ＪＰＧファイルに対して、送信するファイル、送信しないファイルを選択できるようにしてもよい。
【００６５】
また、制御装置１０４は、使用者によって新ＪＰＧファイルの外部機器への転送が指示された場合には、転送対象の新ＪＰＧファイルに関連付けられている元ＭＰＯファイルも外部機器へ転送する。これによって、外部機器が元ＭＰＯファイルに対応している場合には、転送が指示された新ＪＰＧファイルとともに、その新ＪＰＧファイルに格納されている画像データと同じ撮影処理で取得された他の画像データも含んだ元ＭＰＯファイルを送信することができるため、外部機器に関連画像を漏れなく送信することができる。なお、この場合には、転送対象の新ＪＰＧファイルに関連付けられている元ＭＰＯファイルを外部機器へ転送する前に、その転送の可否を使用者に確認するようにしてもよい。
【００６６】
以上説明した本実施の形態によれば、以下のような作用効果を得ることができる。
（１）制御装置１０４は、ＤＣＦ規格に準拠した方式でメモリカードに記録されたＭＰＯファイル内の個別の画像データを格納したＪＰＧファイルを生成する。そして、制御装置１０４は、生成した新ＪＰＧファイルを、ＤＣＦ規格に準拠しない方式で、元ＭＰＯファイルと関連付けてメモリカードに記録するようにした。これによって、新ＪＰＧファイルと元ＭＰＯファイルの関連性を維持して、新ＪＰＧファイルが、どのＭＰＯファイルに含まれていた画像データに基づいて生成されたものであるかを識別可能にすることができる。
【００６７】
（２）制御装置１０４は、メモリカード内にＤＣＦ規格に準拠しないディレクトリを作成し、当該ディレクトリに元ＭＰＯファイルとの関連性を示すディレクトリ名を付加し、当該ディレクトリ内に新ＪＰＧファイルを記録するようにした。これによって、ＤＣＦ規格に準拠しないディレクトリ名を用いて、新ＪＰＧファイルと元ＭＰＯファイルの関連性を維持することができる。
【００６８】
（３）制御装置１０４は、新ＪＰＧファイルにＤＣＦ規格に準拠しないファイル名であって、元ＭＰＯファイルとの関連性を示すファイル名を付加するようにした。これによって、ＤＣＦ規格に準拠しないファイル名を用いて、新ＪＰＧファイルと元ＭＰＯファイルの関連性を維持することができる。
【００６９】
（４）制御装置１０４は、メモリカード内にＤＣＦ規格に準拠しないディレクトリを作成し、当該ディレクトリに元ＭＰＯファイルが記録されているディレクトリとの関連性及び元ＭＰＯファイルとの関連性を示すディレクトリ名を付加し、当該ディレクトリ内に新ＪＰＧファイルを記録するようにした。これによって、ＤＣＦ規格に準拠しないディレクトリ名を用いて、新ＪＰＧファイルと元ＭＰＯファイルの関連性を維持することができる。
【００７０】
（５）制御装置１０４は、新ＪＰＧファイルにＤＣＦ規格に準拠しないファイル名であって、元ＭＰＯファイルが記録されているフォルダとの関連性及び元ＭＰＯファイルとの関連性を示すファイル名を付加するようにした。これによって、ＤＣＦ規格に準拠しないファイル名を用いて、新ＪＰＧファイルと元ＭＰＯファイルの関連性を維持することができる。
【００７１】
（６）制御装置１０４は、新ＪＰＧファイルのファイル名には、元ＭＰＯファイル内における新ＪＰＧファイルの生成元となった画像データの記録位置を示す情報を含めるようにした。これによって、ＤＣＦ規格に準拠しないファイル名を用いて、新ＪＰＧファイルと元ＭＰＯファイル内における新ＪＰＧファイルの生成元となった画像データの記録位置との関連性を維持することができる。
【００７２】
（７）制御装置１０４は、使用者から画像の再生が指示された場合に、元ＭＰＯファイル内の画像データを再生するときには、これに基づいて生成された新ＪＰＧファイルを再生対象から除外するようにした。これによって、同じ画像が重複して再生されることを防ぐことができる。
【００７３】
（８）制御装置１０４は、使用者から元ＭＰＯファイルの削除が指示された場合には、元ＭＰＯファイルをメモリカードから削除すると共に、当該元ＭＰＯファイルに関連する新ＪＰＧファイルをメモリカードから削除するようにした。これによって、使用者が不要と判断した元ＭＰＯファイルを削除するとともに、関連付けられている新ＪＰＧファイルも自動的に削除して、メモリカードの空き容量を確保することができる。また、使用者は、元ＭＰＯファイルの削除を指示するだけで、関連する新ＪＰＧファイルも削除することができるため、画像ファイルの管理を容易に行うことができる。
【００７４】
（９）制御装置１０４は、使用者から新ＪＰＧファイルの削除が指示された場合には、新ＪＰＧファイルをメモリカードから削除すると共に、新ＪＰＧファイルに関連する元ＭＰＯファイルをメモリカードから削除するようにした。これによって、使用者が不要と判断した新ＪＰＧファイルを削除するとともに、関連付けられている元ＭＰＯファイルも自動的に削除して、メモリカードの空き容量を確保することができる。また、使用者は、新ＪＰＧファイルの削除を指示するだけで、関連する元ＭＰＯファイルも削除することができるため、画像ファイルの管理を容易に行うことができる。
【００７５】
（１０）制御装置１０４は、使用者から元ＭＰＯファイル内の画像データの削除が指示された場合には、元ＭＰＯファイル内からその画像データを削除すると共に、その画像データに基づいて生成した新ＪＰＧファイルをメモリカードから削除するようにした。これによって、使用者が不要と判断した元ＭＰＯファイル内の画像データを削除するとともに、削除した画像データに基づいて作成した新ＪＰＧファイルも自動的に削除して、メモリカードの空き容量を確保することができる。また、使用者は、元ＭＰＯファイル内の画像データの削除を指示するだけで、その画像データに基づいて生成された新ＪＰＧファイルも削除することができるため、画像ファイルの管理を容易に行うことができる。
【００７６】
（１１）制御装置１０４は、使用者から新ＪＰＧファイルの削除が指示された場合には、新ＪＰＧファイルをメモリカードから削除すると共に、新ＪＰＧファイルに関連する元ＭＰＯファイル内から新ＪＰＧファイルの生成元となった画像データを削除するようにした。これによって、使用者が不要と判断した新ＪＰＧファイルを削除するとともに、関連付けられている元ＭＰＯファイル内からファイル生成元となった画像データを自動的に削除して、メモリカードの空き容量を確保することができる。また、使用者は、新ＪＰＧファイルの削除を指示するだけで、それに関連する元ＭＰＯファイル内から新ＪＰＧファイルの生成元となった画像データも削除することができるため、画像の管理を容易に行うことができる。
【００７７】
（１２）制御装置１０４は、ＭＰＯファイル内から、使用者によって選択された画像データを格納した新ＪＰＧファイルを生成するようにした。これによって、使用者は、ＭＰＯファイル内から好みの画像データを選択して新ＪＰＧファイルを生成することができる。
【００７８】
―変形例―
なお、上述した実施の形態のカメラは、以下のように変形することもできる。
（１）上述した実施の形態では、使用者はメモリカードに記録されているＭＰＯファイルの中から任意のファイルを選択して、そのＭＰＯファイル内に格納されている複数の画像データの中から任意の画像データを選択して新ＪＰＧファイルの生成を指示することができるものとした。そして、制御装置１０４は、使用者によって選択された画像データを格納した新ＪＰＧファイルを生成する例について説明した。しかしながら、制御装置１０４は、他の方法で指定された画像データを格納した新ＪＰＧファイルを生成するようにしてもよい。例えば、制御装置１０４は、使用者によってＭＰＯファイル内に格納されているいずれかの画像データに対する編集が指示された場合に、編集対象となる画像データに対して編集を行い、編集後の画像データを含む新ＪＰＧデータを作成してもよい。このとき、元ＭＰＯファイル内の対応する画像データは、編集前の画像データをそのまま残しておいてもよいし、編集後の画像データで更新するようにしてもよい。また、ＭＰＯファイル中に編集前の画像データと編集後の画像データとを共に残しておいてもよい。このとき、編集前の画像データと編集後の画像データとの関連性を示す識別情報を付すこととしてもよい。
【００７９】
（２）上述した実施の形態では、制御装置１０４は、第１〜第７の方法によりＤＣＦ規格に準拠しない記録方法を用いて元ＭＰＯファイルと新ＪＰＧファイルとを関連付ける例について説明した。しかしながら、制御装置１０４は、第１〜第７に示した以外の方法で、ＤＣＦ規格に準拠しない記録方法を用いて元ＭＰＯファイルと新ＪＰＧファイルとを関連付けてもよい。例えば、第４の方法〜第７の方法では、制御装置１０４は、ＤＣＦイメージルートディレクトリである「ＤＣＩＭ」ディレクトリ２ｂ内に、ＤＣＦ規格に準拠しないディレクトリである「ＴＥＭＰ１」ディレクトリ３ｈを作成する例について説明した。しかしながら、制御装置１０４は、「ＴＥＭＰ１」ディレクトリ３ｈを「ＲＯＯＴ」ディレクトリ２ａの直下に作成するようにしてもよい。
【００８０】
（３）上述した実施の形態では、１つの画像ファイルに複数の画像データを含むＭＰＯファイル内の少なくとも１つの画像データを格納した新ＪＰＧファイルを生成する場合に、元ＭＰＯファイルと新ＪＰＧファイルとを関連付ける例について説明した。しかしながら、１つの画像ファイルに１つの画像データを含むＪＰＧファイルを対象として画像データの編集を行って、編集後の画像データを含む新ＪＰＧファイルを作成する場合に、元ＪＰＧファイルと新ＪＰＧファイルとを関連付ける場合にも本発明は適用可能である。また、１つの画像ファイルに複数の画像データを含むＭＰＯファイル内の複数の画像データを格納した新ＭＰＯファイルを作成する場合に、元ＭＰＯファイルと新ＭＰＯファイルとを関連付ける場合にも本発明は適用可能である。
【００８１】
（４）上述した実施の形態では、制御装置１０４が生成する新ＪＰＧファイルは、ＪＰＥＧデータと当該ＪＰＥＧデータに対応したサムネイルデータとを含むファイルであってもよく、ＪＰＥＧデータのみを含み、サムネイルデータを含まないファイルであってもよい。
【００８２】
（５）上述した実施の形態では、本発明をカメラに適用する例について説明したが、これに限定されず、パソコンや情報携帯端末等の他の電子機器にも本発明を適用可能である。
【００８３】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８４】
１００  カメラ、１０１  操作部材、１０２  レンズ、１０３  撮像素子、１０４  制御装置、１０５  メモリカードスロット、１０６  モニタ
【図１】
0005521514.tif 000002
【図２】
0005521514.tif 000003
【図３】
0005521514.tif 000004